(57)【要約】  電気線路の保護のための装置が、処理手段と、電力供給手段と、電圧測定手段と、警報手段と、前記線路自身の電流を主枝路（残りの構成要素を有する）を介して又は枝路線を介して択一的に送る切換手段とを有する。更に、本発明による上記装置により電気線路を保護する方法は、安全エレメントが完全な状態であり且つ保護装置が不活性状態であるような正常動作モードと、上記安全エレメントを介して流れる強度が警戒閾値を超え、上記保護装置が斯かる状態を通知するような境界異常動作モードと、上記安全エレメントの故障の後に全電流が上記保護装置を介して流れ、該保護装置が斯かる状態を検出し、通知し及び解析するような線路検証異常動作モードとを有する。【選択図】  図２
2007529990.tif 000002
【特許請求の範囲】
【請求項１】
保護されるべきユニットに対する入力部に安全エレメント（Ｆ）と並列に配置される、電気線路の保護のための保護装置であって、
ａ）残りの装置構成要素を制御すると共に互いに機能的に連結する処理手段（３０）と、
ｂ）少なくとも前記線路自身による供給がない場合において、異常線路状態の間に前記処理手段（３０）に給電する電力供給手段（６０）と、
ｃ）異常な局部電圧を測定する電圧測定手段（１０）と、
ｄ）前記装置により検出された状態を反映する警報信号を発生する手段（３０）と、
ｅ）択一的に、前記線路自身による供給が前記残りの装置構成要素（主枝路）を給電するようにさせるか、又は前記線路自身による供給が前記装置の分岐（枝路線）を介して前記残りの装置構成要素を回避するようにさせる切換手段（５０）と、
を有することを特徴とする保護装置。
【請求項２】
請求項１に記載の電気線路のための保護装置において、前記装置により検出された前記状態を前記警報信号に応答して光学的に通知する警報手段（４０）を更に有している保護装置。
【請求項３】
請求項１に記載の電気線路のための保護装置において、当該保護装置が永久的に設置されることを特徴とする保護装置。
【請求項４】
請求項１ないし３の何れか一項に記載の電気線路のための保護装置において、当該保護装置が前記主枝路外に配置された負荷を有していることを特徴とする保護装置。
【請求項５】
請求項１ないし４の何れか一項に記載の電気線路のための保護装置において、前記警報手段（４０）が少なくとも１つのＬＥＤ型指示器及び／又は少なくとも１つのＬＣＤ型表示装置及び／又は送信機配列を有していることを特徴とする保護装置。
【請求項６】
請求項１ないし５の何れか一項に記載の電気線路のための保護装置において、前記処理手段（３０）がアナログ回路又はマイクロプロセッサを有していることを特徴とする保護装置。
【請求項７】
請求項１ないし６の何れか一項に記載の電気線路のための保護装置において、前記電力供給手段（６０）が、
ａ）好ましくはコンデンサを有する容量性手段、又は
ｂ）好ましくはコンデンサを有する容量性手段及び好ましくはツェナー型ダイオードを有する安定化手段、及び／又は
ｃ）好ましくは電池を有する外部供給源、
を有することを特徴とする保護装置。
【請求項８】
請求項１ないし７の何れか一項に記載の電気線路のための保護装置において、前記電圧測定手段（１０）が抵抗配列を有することを特徴とする保護装置。
【請求項９】
請求項１ないし８の何れか一項に記載の電気線路のための保護装置において、前記切換手段（５０）が、
ａ）好ましくはｎチャンネルMOSFET型トランジスタである少なくとも１つのトランジスタ、又は
ｂ）リレー、
を有することを特徴とする保護装置。
【請求項１０】
請求項１ないし９の何れか一項に記載の電気線路のための保護装置において、当該保護装置が、該保護装置における一定の極性を保証するために、好ましくはダイオードブリッジであるような整流器（Ｄ１）を有することを特徴とする保護装置。
【請求項１１】
請求項１ないし７の何れか一項に記載の電気線路のための保護装置において、前記切換手段が、
ａ）ゲートが互いに且つ前記処理手段に接続され、ドレインが互いに直接接続されるようにして、対称に直列に配置された第１及び第２のｎチャンネルMOSFET型トランジスタ、
を有し、
前記主枝路が、一端において前記切換手段（５０）に接続されると共に、他端において整流器により当該保護装置の両端子に接続され、
前記切換手段（５０）が、好ましくは、
ｂ）整流器としてのダイオードブリッジ、
を更に有することを特徴とする保護装置。
【請求項１２】
請求項１ないし１１の何れか一項に記載の電気線路のための保護装置において、当該保護装置が代替主枝路を有し、該代替主枝路が、前記処理手段（３０）に接続され、好ましくはリレーを有する切断手段を含むと共に、好ましくは少なくともＬＥＤ型指示器を備える好ましくは追加の警報手段を有するような追加の電圧測定手段（１０）を含むことを特徴とする保護装置。
【請求項１３】
請求項１ないし１２の何れか一項に記載の電気線路のための保護装置において、前記処理手段（３０）が、請求項１ないし１２の何れか一項に記載の他の保護装置と共有されることを特徴とする保護装置。
【請求項１４】
請求項１ないし１３の何れか一項に記載の電気線路のための保護装置において、当該保護装置の少なくとも一部が集積回路チップ内に製造されることを特徴とする保護装置。
【請求項１５】
請求項１ないし１４の何れか一項に記載の保護装置により電気線路を保護する方法において、該方法が、
ａ）前記安全エレメント（Ｆ）が完全な状態であると共に、該安全エレメントが受ける強度が公称動作範囲内にあり、従って前記安全エレメント（Ｆ）が基本的に零抵抗を示し、結果として実質的に全ての電流が該安全エレメントを介して流れる（当該保護装置の前記電圧測定手段（１０）は電位降下を測定せず、該保護装置は不活性状態に留まる）ような正常動作モード、
ｂ）前記安全エレメント（Ｆ）を介して流れる強度が、所定の警戒閾値を超えるまで前記公称動作範囲より上に上昇し、これにより、前記安全エレメントの降伏又はトリガ点のものに近い温度及び、その結果として、該安全エレメントの抵抗値の変化が生じる（従って、電流の一部は当該保護装置へ流れると共に、前記切換手段のデフォルト状態により前記主枝路に分流され、前記処理手段（３０）は、少なくとも前記警戒閾値に対応する値に到達するまで上昇するような電圧に関して前記電圧測定手段（１０）から信号を受けると共に、前記警報手段に対する対応した制御信号をイネーブルする）ような境界異常動作モード、及び
ｃ）前記安全エレメントの故障（降伏又はトリガ）の後に、全ての電流が当該保護装置を介して流れると共に、前記切換手段のデフォルト状態により、前記主枝路に分流され、前記処理手段（３０）は、少なくとも前記故障点に到達するまで上昇するような電圧に関して前記電圧測定手段（１０）から信号を受け、次いで前記処理手段は、前記切換手段（５０）に対する制御信号をイネーブルして該切換手段が前記電流を前記枝路線に分流させるようにする（今や活動状態の前記電力供給手段（６０）により供給される電圧を使用して前記切換手段を該状態に維持する）ステップと、前記線路のパラメータを処理して該線路の状態を検証するステップと、該線路の状態に対応するような前記警報手段（４０）に対する制御信号をイネーブルするステップと、前記切換手段（５０）に対する制御信号をイネーブルして該切換手段が前記電流を前記主枝路に再び分流させるステップとを含む動作サイクルを開始するような線路検証異常動作モード、
なる前記線路の状態に依存する３つの動作モードを含むことを特徴とする方法。
【請求項１６】
請求項１５に記載の方法において、
ａ）前記処理手段（３０）は、前記電圧測定手段（１０）に対する追加の制御信号をイネーブルして、前記電流が前記枝路線に分流されねばならない場合に該電圧測定手段が切断状態に移行するようにさせ、
ｂ）前記処理手段（３０）は前記動作サイクルを周期的に発生するようにプログラムされ、及び／又は
ｃ）前記処理手段（３０）は、動作サイクル当たり約１００μｓの期間にわたり前記電流を前記枝路線に分流させることにより前記切換手段（５０）を維持するようにプログラムされ、及び／又は
ｄ）前記処理手段（３０）は、前記警報手段（４０）が、前記動作サイクルにおける時点に無関係に、前記線路検証異常動作モードの全期間にわたり連続的に励起されたままとなり、前記線路の状態を通知するようにプログラムされる、
ことを特徴とする方法。
【発明の詳細な説明】
【技術分野】
【０００１】
本発明は、電気線路の拡張された保護のための装置及び方法であって、現状技術において同様の目的のために使用されている既知の装置及び方法よりも本質的に新規な特徴及び顕著な利点を提供するような装置及び方法に関する。
【０００２】
更に詳細には、本発明は、電気線路（これらが給電線路であるか又は信号伝送線路であるかに拘わらず）に拡張された保護を提供するように設計された電気／電子装置、及び斯かる装置を動作させる方法であって、上記保護が線路の状態の連続的検証及び斯かる線路の可能性のある異常状態の原因の識別を含むような装置及び方法に関する。
【背景技術】
【０００３】
電子及び電気回路は、通常、安全エレメントにより支援され、斯かる安全エレメントは特定の保護を提供すると共に、可能性のある過負荷の事象においては当該回路の回復を容易にする。これらの回路安全エレメントは、しかしながら、幾つかの欠点を示す。
【０００４】
フラックスプレート（flux plate）エレメントにより保護された回路の場合、該安全エレメントが溶断されたか否かを視覚的に区別することは困難であり、当該回路又は該回路に給電する何れかのユニットにおける故障の原因は決定することはできない。線路は、安全エレメントが抵抗値の変化を示し、かくして該線路が給電するユニットが正しく動作するのを妨げるが、当該線路の異常状況を示すことはないような当該回路の公称電流の限界においてさえも機能する可能性がある。
【０００５】
一方、熱応動開閉器又はリセット可能型ヒューズ等の他の安全エレメントにより保護された回路においては、再活性化のためのレバー又はボタンの操作は容易であるが、このタイプの安全エレメントも当該回路又は該回路に給電する何れかのユニットの故障の原因を決定することを可能にするものではなく、これが、繰り返しの活性化を必要にさせ、斯かる安全エレメントの急激な劣化につながる。
【発明の開示】
【発明が解決しようとする課題】
【０００６】
本発明は、上述した問題に、線路の状態の連続的な検証及び斯かる線路の可能性のある異常状態の原因の識別を可能にするような、電気線路の保護のための装置及び方法により対処するものである。
【課題を解決するための手段】
【０００７】
従って、本発明の第１実施例によれば、保護されるべきユニットへの入力部に安全エレメントと並列に、電気線路のための電気／電子保護装置が設けられ、該保護装置は、残りの装置構成要素を制御すると共に相互に機能的に連結する処理手段と、少なくとも当該線路の自身の電源が存在しない場合、異常線路状態の間に上記処理手段に給電する電力供給手段と、異常な局部電圧を測定する電圧測定手段と、当該装置により検出された状態を通知する警報手段と、択一的に前記線路の自身の電源に前記残りの装置構成要素（主枝路）を給電させるか又は前記線路の自身の電源に当該装置の分岐（枝路線）を介して前記残りの装置構成要素を回避させる切換手段とを有する。
【０００８】
前記警報手段は、本発明の特定の用途に鑑みて実行されるべき動作に依存して、種々のタイプのものであり得る。単なる一例として、上記警報手段は、選択的な励起がユーザに検証下の線路の対応する状態を通知するようなＬＥＤ型の指示器（signallers）、若しくはユーザに検証下の線路の状態に関するデータを更に供給するＬＣＤ型の指示器を単に含むことができ、又は上記警報手段は遠隔線路監視センタ等に信号を送信する送信機、若しくは幾つかの手段の組み合わせさえも含むことができる。
【０００９】
更に、本発明装置は、オプションとして、前記切換手段が分岐状態にある場合に当該装置を短絡から防止するように配置された負荷を有することもできる。
【００１０】
本発明装置は、当該線路に永久的に連結されたままとなり、該線路の偶発事故に対してリアルタイムに反応するように永久的な態様で設置することができるという固有性を示す。即ち、本発明装置は、前記安全エレメントと、本発明装置も配置される端子への接続により給電されるようなユニットとの両方の連続的検証を可能にする。
【００１１】
本発明の第２実施例によれば、電気線路を保護する方法が提供され、該方法は線路の状態に依存する３つの動作モード、即ち、
−  正常動作モード：前記安全エレメントが完全な状態であると共に、該安全エレメントが受ける強度が公称動作範囲内にあり、従って前記安全エレメントが基本的に零抵抗を示し、結果的に全ての電流は該安全エレメントを介して流れる。
【００１２】
当該保護装置の電圧測定手段は如何なる電位降下も測定せず、該保護装置は不活性状態のままである。
−  境界異常動作モード：前記安全エレメントを介して流れる強度が、所定の警戒閾値を超えるまで前記公称動作範囲より上に上昇し、これにより、前記安全エレメントの降伏又はトリガ点のものに近い温度及び、その結果として、該安全エレメントの抵抗値の変化が生じる（この抵抗の値及びその持続時間は、公称インピーダンス及び他の固有の線路パラメータ、主として当該放出源が供給することができる最大電力に依存するような設計変数である）。
【００１３】
従って、上記電流の一部は本発明保護装置へ流れると共に、前記切換手段のデフォルト状態により前記主枝路に分流される。前記処理手段は、少なくとも前記警戒閾値に対応する値に到達するまで上昇する電圧に関して前記電圧測定手段から信号を受けると共に、前記警報手段に対する対応する制御信号をイネーブルする。
−  線路検証異常動作モード：前記安全エレメントの故障（降伏又はトリガ）の後に、全ての電流が本発明保護装置を介して流れると共に、前記切換手段のデフォルト状態により、前記主枝路に分流される。
【００１４】
前記処理手段は、少なくとも前記故障点に到達するまで上昇する電圧に関して、前記電圧測定手段から信号を受ける。前記処理手段は、次いで、前記切換手段に対する制御信号をイネーブルして該切換手段が前記電流を前記枝路線に分流させるようにする（今や活動状態の前記電力供給手段により供給される電圧を使用して前記切換手段を該状態に維持する）ステップと、前記線路パラメータを処理して前記線路の状態を検証するステップと、該線路の状態に対応するような前記警報手段に対する制御信号をイネーブルするステップと、前記切換手段に対する制御信号をイネーブルして該切換手段が前記電流を前記主枝路に再び分流させるステップとを含むような動作サイクルを開始する。
【００１５】
前記電圧測定手段の性質及び配置により、もし必要なら、前記処理手段は該電圧測定手段に対する追加の制御信号をイネーブルして、前記電流が前記枝路線に分流されねばならない場合に該電圧測定手段が切断モードに移行するようにする。
【００１６】
本発明の更なる特徴及び利点は、添付図面を参照して解説目的のためのみになされる好ましい実施例（本発明は、斯かる実施例に限定されるものではない）の下記の詳細な説明から一層明確に分かるであろう。
【発明を実施するための最良の形態】
【００１７】
図１を参照すると、該図は本発明による保護装置の基礎を図示するブロック図を示し、この保護装置は線路安全エレメントＦ内に、該保護装置が当該線路に永久的に連結されたままとなると共に該線路の偶発事故にリアルタイムに反応するように配置されている。即ち、上記保護装置は、上記安全エレメントＦと、当該保護装置も接続されている端子Ａ、Ｂへの接続により給電される回路との両方の連続的制御を可能にする。従って、該保護装置は、電力供給源又は所与のタイプの信号の伝送源と、保護されるのが望まれる回路との間のリンクとして動作する。
【００１８】
該保護装置は、電力供給手段６０並びに該電力供給手段６０により給電される電圧測定手段１０及び処理手段３０を含む主枝路（main branch）を有している。更に、上記処理手段３０には警報手段４０が設けられている。更に、当該保護装置は上記主枝路に並列に枝路線（branch
line）を有している。両枝路、即ち主枝路及び枝路線は、切換手段５０上で合流する。
【００１９】
ここで図２を参照すると、該図は本発明による保護装置の第１の基本実施例を示している。この実施例において、電力供給手段６０はコンデンサＣ１を有し、電圧測定手段１０は抵抗配列Ｒ１，Ｒ２，Ｒ３を有し、処理手段３０はマイクロプロセッサＭ１を有し、警報手段４０はＬＥＤ型指示器（signaller）Ｌ１，Ｌ２，Ｌ３の配列を有している。
【００２０】
図２にも見られるように、切換手段５０はｎチャンネルMOSFET型のトランジスタＴ１を有している。
【００２１】
この実施例において、当該保護装置の端子Ａ，Ｂ間に配置された安全エレメントＦ（図を簡略化するために図示されていない）を経る電流が正常な動作範囲内である場合、該安全エレメントＦは基本的に零の抵抗を示し、結果として、実質的に全ての電流が該安全エレメントを介して流れる。当該保護装置は、如何なる電流も受けず、非活性状態のままである。
【００２２】
一方、上記安全エレメントを経る電流が警戒閾値（該安全エレメントを介しての電圧降下ＶＵにより予め規定される）を超えるまで上昇し、該安全エレメントが抵抗値を変化させ、かくして、或る抵抗を示す場合、端子Ａ，Ｂに到達する電流の一部は上記保護装置に分流し、ここでトランジスタＴ１のデフォルトの状態は切断であるから、上記量の電流は当該保護装置の前記主枝路を介して（即ち、抵抗配列Ｒ１，Ｒ２，Ｒ３を介して）流れるであろう。この場合、マイクロプロセッサＭ１は信号を供給され、該信号を境界異常動作状態と解釈し、該状態を示す対応する指示器Ｌ１への信号をイネーブルする。
【００２３】
最後に、上記安全エレメントを経る電流が、故障（降伏又はトリガ）点（該安全エレメントを介しての電圧降下ＶＲにより予め規定される）を超えるまで上昇すると、実質的に全ての電流が、本発明による保護装置に流れ、ここでトランジスタＴ１のデフォルトの状態は切断であるから、上記電流は当該保護装置の前記主枝路を介して（即ち、抵抗配列Ｒ１，Ｒ２，Ｒ３を介して）流れ、更にコンデンサＣ１を充電する。この場合、マイクロプロセッサＭ１は信号を供給され、該信号を線路検証異常動作状態と解釈し、斯かる状態を示す対応する指示器Ｌ２への信号及びトランジスタＴ１への信号をイネーブルし、該トランジスタは、かくして、飽和領域内（導通状態）へと移行する。
【００２４】
上記トランジスタＴ１が導通状態にある期間（例えば、１００μｓ）の間に、マイクロプロセッサＭ１は、コンデンサＣ１から受ける電源のお陰で、上記の供給される信号の測定の処理を維持し、上記コンデンサは導通状態の上記トランジスタＴ１により放電状態へ移行する。
【００２５】
この１００μｓの間において、マイクロプロセッサＭ１は当該線路のパラメータを解析し、該解析されたパラメータが当該線路における短絡を示すなら、該マイクロプロセッサＭ１は１００μｓの期間の後にＬ３をスイッチオンするような対応する指示器Ｌ３への信号もイネーブルする。
【００２６】
この１００μｓ期間の最後に、マイクロプロセッサＭ１は上記トランジスタＴ１への信号を不能化し、かくして、該トランジスタＴ１は切断状態に戻り、電流を当該保護装置の前記主枝路を介して再び流させる。
【００２７】
この時点に到達されたら、マイクロプロセッサＭ１は、当該線路の連続的な検証を維持するために、上記１００μｓの間に周期的に（少なくとも、所定回数だけ）上記トランジスタＴ１に対する信号をイネーブルするようプログラムされるであろう。
【００２８】
明らかに、上記トランジスタＴ１への信号に対するイネーブル時間（この実施例では一例として１００μｓと設定された）並びに上記トランジスタＴ１への信号のイネーブル期間及び該トランジスタＴ１への信号のイネーブルの回数は、当該線路及び該線路が給電するユニットが損害を被るのを防止するために該線路の設計パラメータに基づいて値が決められる。
【００２９】
次に図３（該図において、図２におけるものと同様の構成要素は同一の符号を有している）を参照すると、該図は本発明による保護装置の第２の、代替実施例を示している。
【００３０】
該第２の実施例が、本明細書で詳述した前記第１実施例の発展例であることを考慮すると共に、反復をさけるために、該第２実施例の固有の特徴を以下に前記第１実施例を時折参照しながら説明する。
【００３１】
詳細に述べると、該第２実施例は前記第１実施例に整流器Ｄ１を組み込み、この整流器は、該整流器Ｄ１が端子Ａ，Ｂ及び当該保護装置の主枝路の両方に対してダイオードブリッジ接続されることにより、該保護装置を当該線路の極性に無関係に使用することを可能にさせる。上記整流器に対するコンフィギュレーション過程は従来良く知られており、斯かる整流器の多くの技術的等価変形例が存在する。
【００３２】
上記整流器に代えて又は該整流器に加えて、該第２実施例は前記第１実施例に、トランジスタＴ１に対向して対称に配置された、Ｔ１の場合と同様のｎチャンネルMOSFET型の第２トランジスタＴ２も組み込んでいる。このトランジスタ配置Ｔ１、Ｔ２は、この実施例における切換手段を構成している。
【００３３】
更に、該第２実施例は前記第１実施例に代替主枝路を組み込んでおり、該代替主枝路は追加の電圧測定手段Ｌ1’、Ｌ1”（これらは、この場合追加の警報手段としても作用する）及び切断手段Ｓ１を介在させて端子Ａ，Ｂを相互に直接接続する。
【００３４】
上記代替主枝路は、該第２実施例における保護装置が高度に敏感な安全エレメント（即ち、相対的に低い抵抗値を示しながら故障点に到達するような安全エレメント）で以って、正しく動作することを保証する。この場合、主枝路は安全エレメントにおける最大負荷（故障点の直前の）に対して高い負荷を示し得るので、境界異常動作の状態の間において当該保護装置に向かって分流される電流の大部分が、マイクロプロセッサＭ１が動作するには不充分である可能性がある。
【００３５】
前記追加の電圧測定手段は、この実施例では、ＬＥＤ型指示器Ｌ1’、Ｌ1”（これらは、追加の警報手段として作用し、保護装置の一部である代替主枝路に第１実施例に示されるように配置された場合は、線路の極性を考慮して配置される単一のＬＥＤ型指示器からなるであろう）の配列からなり、前記切断手段Ｓ１は、この実施例では、常閉リレーからなる。
【００３６】
前記整流器Ｄ１、前記トランジスタＴ１，Ｔ２及び前記代替主枝路の存在を考慮すると、この第２実施例における動作は下記のようになる。
−  正常動作（ＶＡＢ〜０）：前記安全エレメントは基本的に零抵抗を示すので、結果として、実質的に全ての電流は該安全エレメントを介して流れ、当該保護装置は如何なる電流も受けることがなく、不活性状態に留まる。
−  境界異常動作（ＶＵ＜｜ＶＡＢ｜＜ＶＲ、ここで、ＶＵは前述した警戒閾値に対応する電圧であり、ＶＲは安全エレメントの降伏点に対応する電圧である）：安全エレメントは或る抵抗を示し、端子Ａ，Ｂに到達する電流の一部は当該保護装置に分流される。両トランジスタＴ１及びＴ２のデフォルト状態は切断であり、前記リレーＳ１のデフォルト状態は導通であり、前記主枝路の負荷は安全エレメントの負荷に対して高いので、前記量の分流電流は当該保護装置の代替主枝路を介して、即ちＬＥＤ指示器Ｌ1’、Ｌ1”の配列を介して流れる。対応する指示器Ｌ1’、Ｌ1”が励起され、マイクロプロセッサＭ１は不活性状態に留まる。
−  線路検証異常動作（ＶＡＢ＞０且つ｜ＶＡＢ｜＞ＶＲ、ここで、ＶＲは安全エレメントの降伏点に対応する電圧である）：全ての電流は本発明の保護装置へ流れる。そして、両トランジスタＴ１及びＴ２のデフォルト状態は切断であるので、上記電流は当該保護装置の主枝路と代替主枝路との間で分割される。ここで、主枝路を介して巡る電流は、リレーＳ１に開信号を送るべくマイクロプロセッサＭ１を活性化するのに充分である。このように、この場合は、全電流が主枝路を介して、即ち抵抗配列Ｒ１，Ｒ２，Ｒ３を介して流れ、付加的にコンデンサＣ１を充電する。かくして、マイクロプロセッサＭ１には抵抗配列Ｒ１，Ｒ２，Ｒ３から到来する信号が供給され、マイクロプロセッサは該信号を線路検証異常動作状態と解釈し、該状態を示すような対応する指示器Ｌ２への信号及び前記トランジスタＴ１及びＴ２への信号をイネーブルし、該トランジスタは次いで導通状態となるように移行する。上記トランジスタＴ１及びＴ２の対称的な対向する配置により、Ｔ１のみは自身を介しての電流の通過を可能にするが、Ｔ２は抵抗に変換されるので、全体としての動作は、全ての他の点で、前記第１実施例のものと同様である。
−  線路検証異常動作（ＶＡＢ＜０且つ｜ＶＡＢ｜＞ＶＲ、ここで、ＶＲは安全エレメントの降伏点に対応する電圧である）：全ての電流は本発明の保護装置へ流れる。そして、両トランジスタＴ１及びＴ２のデフォルト状態は切断であるので、上記電流は当該保護装置の主枝路と代替主枝路との間で分割される。ここで、主枝路を介して巡る電流は、リレーＳ１に開信号を送るべくマイクロプロセッサＭ１を活性化するのに充分である。このように、この場合は、全電流が主枝路を介して、即ち抵抗配列Ｒ１，Ｒ２，Ｒ３を介して流れ、付加的にコンデンサＣ１を充電する。かくして、マイクロプロセッサＭ１には抵抗配列Ｒ１，Ｒ２，Ｒ３から到来する信号が供給され、マイクロプロセッサは該信号を線路検証異常動作状態と解釈し、該状態を示すような対応する指示器Ｌ２への信号及び前記トランジスタＴ１及びＴ２への信号をイネーブルし、該トランジスタは次いで導通状態となるように移行する。上記トランジスタＴ１及びＴ２の対称的な対向する配置により、Ｔ２のみは自身を介しての電流の通過を可能にするが、Ｔ１は抵抗となるので、全体としての動作は、全ての他の点で、前記第１実施例のものと同様となる。
【００３７】
図２における実施例及び図３における実施例の両方において、当業者であれば、当該保護装置の特定の用途に応じて、該装置の完全な動作のためには従来から適切な構成要素を配置しなければならないことが分かるであろう。
【００３８】
この意味において、限定するものではない一例のみとして、コンデンサＣ１は、該コンデンサＣ１と並列に取り付けられるツェナー型ダイオードのような通常の安定化手段により補足することができる。
【００３９】
同様に、特に第２実施例において、トランジスタ配列Ｔ１及びＴ２は、マイクロプロセッサＭ１の初期安定化期間の間においてトランジスタＴ１又はＴ２（線路の極性に依存して）のゲート／ソース電圧を減少させる手段により補足することができる。
【００４０】
同様に、図２における実施例及び図３における実施例の両方において、当業者であれば、ＶＵ及びＶＲに対する設計値（警戒閾値及び故障点に対して各々予め規定される）は、線路パラメータ及び所望の安全レベルを考慮して決定することができ、ＶＵは高い安全性の及び／又は高感度の用途に対しては実際的には零に近くなることが分かるであろう。
【００４１】
勿論、本発明の原理が維持されるならば、前記実施例及び構成の細部は、結果として本発明の範囲から逸脱することなしに、前記記載及び図示に関して広範囲に変更することができる。
【００４２】
斯様な変更は、当該装置の物理的構成要素の形状、寸法及び／又は製造材料、並びに、勿論、必要とされるソフトウェアの実施化特性にも影響を与える。
【００４３】
解説的目的のみのためとして、下記の例が引用される。
【００４４】
既述したように、前記警報手段は、前述した実施例におけるように、選択的励起がユーザに検証下の線路の対応する状態を通知するようなＬＥＤ型指示器の配列を単に含むことができ、又はユーザに検証下の線路の状態を付加的に通知するＬＣＤ型指示器を含むことができ、又は遠隔線路監視センタ等に信号を送信する送信機を含むことができ、又は上記手段は幾つかの手段の組み合わせからなることさえできる。
【００４５】
同様に、前記処理手段は、前述した実施例におけるようにマイクロプロセッサを有することができ、又は等価なアナログ回路を含むことができ、又は特定の用途のために特別に設計されたアナログ回路を含むこともできる。
【００４６】
同様に、全体の装置又はその一部は、集積回路チップ内に製造することができる。
【００４７】
当然、マイクロプロセッサが如何なるタスクのために使用される場合においても、該プロセッサの内部ソフトウェアは、特定の用途に及び線路の対応する固有の設計パラメータに依存するであろう。
【００４８】
更に、前記電力供給手段は、前述した実施例におけるように容量性手段を含むことができ、又は斯かる容量性手段を補足又は置換する例えば電池のような外部供給源を含むこともできる。
【００４９】
最後に、本発明の範囲内の構成は、対応する複数の安全エレメントを対応する回路で保護するような、単一組の処理手段を共有する複数の本発明保護装置からなり得る。
【図面の簡単な説明】
【００５０】
【図１】図１は、本発明による保護装置のブロック図を示す。
【図２】図２は、本発明による保護装置の第１実施例の電気回路図を示す。
【図３】図３は、本発明による保護装置の第２実施例の電気回路図を示す。
【符号の説明】
【００５１】
１０    電圧測定手段
３０    処理手段
４０    警報手段
５０    切換手段
６０    電力供給手段
Ａ    端子
Ｂ    端子
Ｆ    安全エレメント
【図１】
2007529990.tif 000003
【図２】
2007529990.tif 000004
【図３】
2007529990.tif 000005
【国際調査報告】
2007529990.tif 000006
2007529990.tif 000007
2007529990.tif 000008